(57)【要約】【課題】  本発明の課題は、ゴムひも付きボールを吊り下げた楕円形フレームの場合、シングルス及び特にダブルスの試合中、プレイヤーがフレームの四隅（左斜め上・左斜め下・右斜め上・右斜め下）の範囲にボールを打球するとフレームにボールが当たったり外側を通過してしまい、ボールを打球する範囲が非常に狭くなるので、競技のダイナミックさに欠けたり、スリリングでエキサイティングな試合展開にもならず、繊細な技の競い合いもできないので、競技全体のおもしろさが半減してしまうという欠点を解決することである。【解決手段】  正面視横長長方形フレーム・フレーム支持体・土台部で構成したスポーツ競技用具。【選択図】図１
2019004917.tif 000002
【特許請求の範囲】
【請求項１】
正面視横長長方形フレーム・フレーム支持体・土台部で構成したスポーツ競技用具。
【発明の詳細な説明】
【技術分野】
【０００１】  本発明は、運動競技用品（球技用具）であり、正面視横長長方形フレーム（枠体）をフレーム支持体・土台部を介して競技コート中央に設置し、当該フレームの上部内側中央に、ボールに取付けたゴムひもの他端を固定し吊り下げ、相対するプレイヤーがラケットでゴムひも付きボールを長方形フレームの内側を通過するように打ち合って競技する、ゴムひも付きボールを使用するスポーツ競技用具に関するものである。
【背景技術】
【０００２】  ゴムひも付きボールを使用する類似の先行技術を参照すると、それはテニスの練習用のためのものであり、スポーツ競技用具ではない（特許文献１参照）。また、天井や支柱等にゴムひも付きボールを吊り下げた様々な先行技術があるが、スポーツ競技用としての用具は見当たらない。さらに、本発明と類似する先行技術として、本発明人が過去に考案し、特許出願をしないで公開し公知となった楕円形フレームのスポーツ競技用具がある（非特許文献１参照）。
【先行技術文献】
【特許文献】
【０００３】
【特許文献１】公開実用新案公報  昭６３−１８６４６５「テニス・フォームづくり練習機」
【非特許文献】
【０００４】
【非特許文献１】本特許願明細書の実施形態８、及び図面の図１５の楕円形フレームのスポーツ競技用具。
【発明の概要】
【発明が解決しようとする課題】
【０００５】  発明が解決しようとする課題を指摘する前に、まず、本発明人が考案し公開・公知となった楕円形フレームのスポーツ競技用具を考案するに至った経緯について以下に記す。【０００６】  先行技術である特許文献１の公開実用新案公報昭６３−１８６４６５「テニス・フォームづくり練習機」を使用して、相対するプレイヤーがラケットでゴムひもで吊り下げられたボールを打ち合って競技しようとすれば不可能ではない。しかし、当該練習機の左・右・上部には打球したボールが通過する範囲を限定するためのフレームはあるが下部にはない。つまり、フレームの下部にテニスのネットに相当する部分がないので、サーブ・レシーブ・ストローク（グランドストローク・ボレー・スマッシュ・ロブ・等）を下方に打球した場合、イン・アウト・レット・フォールトを正確に判定することができない。言わば、ネットのない状態でテニス競技をするようなものであり、競技を正確に判定できないのでスポーツ競技には成り得ないという欠点がある。【０００７】  また、天井や支柱等にゴムひも付きボールを吊り下げた様々な先行技術についても、スポーツ競技用として使うとすれば、やはり競技を正確に判定できないのでスポーツ競技には成り得ないという欠点がある。【０００８】    以上記述した各欠点を解決するために、本発明人は、サーブ・レシーブ・ストロークのイン・アウト・レット・フォールトを正確に判定することができる楕円形フレームのスポーツ競技用具を考案したという経緯があった。以下に、楕円形フレームのスポーツ競技用具の概要を記す。【０００９】  楕円形フレームのスポーツ競技用具とは、本明細書の実施形態８、及び図面の図１５より、土台部９とフレーム支持体７を介して設けた楕円形フレーム１９（枠体）の上部内側中央に、ボール５に取付けたゴムひも６の他端を固定し吊り下げ、相対するプレイヤーがラケットで打球したボールが通過する範囲を楕円形フレーム１９全体で囲むようにした、ゴムひも付きボールを使用するスポーツ競技用具のことである。【００１０】  楕円形フレームのスポーツ競技用具の効果について、打球したボールが通過する範囲を楕円形フレーム全体で囲むことによって、サーブ・レシーブ・ストロークのイン・アウト・レット・フォールトを正確に判定することができるようになる。例えば、イン・アウトの場合、打球したボールがフレームの内側を通過して相手コートに正しく入ったときはイン、正しく入らなければアウトと判定できる。レットの場合、打球したボールがフレームに当たったが相手コートに正しく入ったときはレット、サーブの場合はやり直しと判定できる。フォールトの場合、打球したボールがフレームに当たらず外側を通過したとき、打球したボールがフレームに当たって外側を通過したり跳ね返ったりしたとき、打球したボールがフレームに当たって相手コートに入ったが正しく入らなかったとき、等はフォールトとして判定できる。【００１１】  以上のように、打球したボールが通過する範囲を楕円形フレーム全体で囲むことによって、サーブ・レシーブ・ストロークのイン・アウト・レット・フォールトを正確に判定することが可能になる。この公正で正確な判定ルールにより、従来のテニス競技や他のスポ��ツ競技では体験できない独特のおもしろさのある新しいスポーツ競技と成り得るというすぐれた効果がある。【００１２】  以上記述した楕円形フレームのスポーツ競技用具については、すでに公開・公知となっているので特許請求はできないが、以下に記す本発明の要点である楕円形フレームの課題に対する解決手段については公開していないので特許請求をする。【００１３】  本発明の課題は、ゴムひも付きボールを吊り下げた楕円形フレームの場合、シングルス及び特にダブルスの試合中、プレイヤーがフレームの四隅（左斜め上・左斜め下・右斜め上・右斜め下）の範囲にボールを打球するとフレームにボールが当たったり外側を通過してしまい、ボールを打球する範囲が非常に狭くなるので、競技のダイナミックさに欠けたり、スリリングでエキサイティングな試合展開にもならず、繊細な技の競い合いもできないので、競技全体のおもしろさが半減してしまうという欠点を解決することである（本明細書の実施形態８、及び図面の図１５・図１６参照）。
【課題を解決するための手段】
【００１４】  正面視横長長方形フレーム・フレーム支持体・土台部で構成したスポーツ競技用具。
【発明の効果】
【００１５】  以上のように、打球したボールが通過する範囲を長方形フレームで囲むことによって、楕円形フレームよりボールを打球する範囲が広くなり、特に長方形フレームの四隅ぎりぎりを意識的にねらって打球して相手の返球ミスを誘ったり、多彩で繊細な技の競い合いができるようになるので、よりダイナミックでエキサイティングでスリリングな試合展開となり、プレイヤーと観戦者にとって競技が断然おもしろくなるというすぐれた効果がある（本明細書の実施形態８、及び図面の図１６参照）。
【図面の簡単な説明】
【００１６】
【図１】  本発明の長方形フレームの正面図である。
【図２】  本発明の長方形フレームの右側面図である。
【図３】  本発明の類似意匠の長方形フレームの正面図である。
【図４】  本発明の類似意匠の長方形フレームの右側面図である。
【図５】  本発明の類似意匠の長方形フレームの正面図である。
【図６】  本発明の類似意匠の長方形フレームの右側面図である。
【図７】  本発明の類似意匠の長方形フレームの正面図である。
【図８】  本発明の類似意匠の長方形フレームの右側面図である。
【図９】  本発明の類似意匠の長方形フレームの正面図である。
【図１０】  本発明の類似意匠の長方形フレームの右側面図である。
【図１１】  本発明の類似意匠の長方形フレームの正面図である。
【図１２】  本発明の類似意匠の長方形フレームの右側面図である。
【図１３】  本発明の類似意匠の長方形フレームの正面図である。
【図１４】  本発明の類似意匠の長方形フレームの右側面図である。
【図１５】  公開・公知となった楕円形フレームの正面図である。
【図１６】  楕円形フレームと長方形フレームの比較図である。
【発明を実施するための形態】
【００１７】  以下、本発明を実施するための形態について説明する。
【実施形態１】
【００１８】  図１は、正面視横長長方形フレームを構成するフレーム１・２・３・４とフレーム支持体７と土台部（フレーム支持体嵌合部８・土台９）で構成したスポーツ競技用具である。上部フレーム１の内側中央に、ボール５に取り付けたゴムひも６の他端を固定し吊り下げる。長方形フレームの四隅にあるのは、上下左右の各フレーム及びフレーム支持体７を接続固定するための継手（ジョイント）１０である。
【００１９】  図２は、図１の右側面図で、長方形フレームを構成する右のフレーム４・フレーム支持体７・土台部（フレーム支持体嵌合部８・土台９）・継手１０である。
【実施形態２】
【００２０】  以下の実施形態２から実施形態７は、図１・図２と関連する類似意匠の正面視横長長方形フレーム・フレーム支持体・土台部で構成したスポーツ競技用具である。
【００２１】  図３は、正面視横長長方形フレームを構成するフレーム１・２・３・４とフレーム支持体７と土台部（フレーム支持体補強具１１・土台９）で構成したスポーツ競技用具である。
【００２２】  図４は、図３の右側面図で、長方形フレームを構成する右のフレーム４・フレーム支持体７・土台部（フレーム支持体補強具１１・土台９）である。
【実施形態３】
【００２３】    図５は、正面視横長長方形フレームを構成するフレーム１・２・３・４を支持する両端のフレーム支持体７の下部を、コート面（細線より下）に埋めた埋設管１２に嵌合・固定するように構成したスポーツ競技用具である。
【００２４】  図６は、図５の右側面図であり、フレーム支持体７の下部を埋設管１２に嵌合・固定する。
【実施形態４】
【００２５】    図７は、正面視横長長方形フレームを構成するフレーム１・２・３・４を支持する２本のフレーム支持体７の下部を、コート面（細線より下）に埋めた埋設管１２に嵌合・固定するように構成したスポーツ競技用具である。
【００２６】  図８は、図７の右側面図であり、フレーム支持体７の下部を埋設管１２に嵌合・固定する。
【実施形態５】
【００２７】  図９・図１０は、塩化ビニールその他の合成樹脂類・金属類・木類・その他の丸形及び角形のパイプ状の素材を使用する実施例であり、正面視横長長方形フレームを構成するフレーム１・２・３・４とフレーム支持体７と土台部１５・１６・１７を各継手で接続固定するスポーツ競技用具である。
【００２８】  図９より、長方形パイプフレームを構成する上のフレーム１と左のフレーム３・右のフレーム４は、９０°エルボの継手１３によってそれぞれ接続固定し、下部２のフレームと左のフレーム３・右のフレーム４・フレーム支持体７は、９０°Ｙ（Ｔ字の形）の継手１４で接続固定する。
【００２９】  図１０より、フレーム支持体７と土台部１６は、９０°Ｙ（Ｔ字の形）の継手１５で接続固定する。土台部１６の両端にあるのはキャップ１７である。
【実施形態６】
【００３０】  図１１は、正面視横長長方形フレームを構成するフレーム１・２・３・４とフレーム支持体７と土台部（フレーム支持体補強部１１・土台９）で構成したスポーツ競技用具である。
【００３１】  図１２は、図１１の右側面図で、長方形フレームを構成する右のフレーム４・フレーム支持体７・土台部（フレーム支持体補強部１１・土台９）である。
【実施形態７】
【００３２】  図１３は、正面視横長長方形フレーム１８とフレーム支持体７と土台部（土台９）で構成したスポーツ競技用具である。
【００３３】  図１４は、図１３の右側面図で、長方形フレーム１８・フレーム支持体７・土台部（土台９）である。
【実施形態８】
【００３４】  図１５は、本発明人が過去に考案し、特許出願をしないで公開し公知となった楕円形フレームであり、正面視横長楕円形フレーム１９とフレーム支持体７と土台部（土台９）で構成したスポーツ競技用具である。
【００３５】  図１６は、楕円形フレーム１９と長方形フレーム２０の打球範囲を比較するための図である。本発明の課題で指摘したように、ゴムひも付きボールを吊り下げた楕円形フレーム１９の場合、シングルス及び特にダブルスの試合中、プレイヤーが楕円形フレーム１９の四隅である左斜め上２１・左斜め下２２・右斜め上２３・右斜め下２４の範囲にボールを打球すると楕円形フレーム１９にボールが当たったり外側を通過してしまい、ボールを打球する範囲が非常に狭くなるので、競技のダイナミックさに欠けたり、スリリングでエキサイティングな試合展開にもならず、繊細な技の競い合いもできないので、競技全体のおもしろさが半減してしまうという欠点があることがよく分かる図である。
【実施形態９】
【００３６】  以下より、本スポーツ競技用具の概要について補足説明する。本スポーツ競技用具の寸法について、図１は、長方形フレーム内側中央の上下の縦幅は１．８ｍ、左右の横幅は２．７ｍ、その縦横の比は２：３であり、コート面からフレーム内側下部の高さは０．８ｍである。なお、身長の低い小学生から大人まで、様々なプレイヤーの身長・年齢に応じた最適の寸法にすることもできる。例えば、フレームの内側の縦横の比はそのまま２：３とし、縦幅を１．５ｍ〜３．０ｍ、横幅を２．２５ｍ〜４．５ｍ、コート面からフレーム内側下部の高さは、それぞれのフレームの寸法に応じて０．５ｍ〜１．０ｍにする。前記の縦横の比については、２：３・３：４・９：１６・その他の比にすることもできる。また、本スポーツ競技用具のフレームの色に関して、プレイヤーが試合をするとき、フレーム枠の範囲を認識しやすいように、白色・ベージュ・グレー・等の明るい色をし、それ以外のフレーム支持体や土台部は、プレイヤーの目障りにならないように、コート面の色やバックヤードの壁面の色に合わせる。ゴムひもの長さについて、各図では便宜上フレームの下部より少し上に吊り下げて短くしているが、実際の試合では、コートの広さに合わせて長くする。例えば、硬式テニスコートの場合、コートの中心からベースラインまで約１１．８８メートルなので、ゴムの伸長率が２．５倍であれば１１．８８÷２．５≒４．７５メートルとする。また、ゴムひもの色は、コート面の色や、バックヤードの壁面の色に合わせて、プレイヤーの目障りにならない色にする。公式競技に使用されるゴムひもの特性に関して、素材・太さ・色・伸長率・収縮率・反発力・その他について規格を統一することが望ましい。同様にボールの種々の特性に関しても規格を統一する。
【符号の説明】
【００３７】１    上のフレーム
２    下のフレーム
３    左のフレーム
４    右のフレーム
５    ボール
６    ゴムひも
７    フレーム支持体
８    フレーム支持体嵌合部
９    土台部（土台）
１０  継手
１１  フレーム支持体補強具
１２  埋設管
１３  ９０°エルボの継手
１４  ９０°Ｙ（Ｔ字の形）の継手
１５  ９０°Ｙ（Ｔ字の形）の継手
１６  土台部（土台）
１７  キャップ
１８  長方形フレーム
１９  楕円形フレーム
２０  長方形フレーム
２１  左斜め上の範囲
２２  左斜め下の範囲
２３  右斜め上の範囲
２４  右斜め下の範囲
【図１】
2019004917.tif 000003
【図２】
2019004917.tif 000004
【図３】
2019004917.tif 000005
【図４】
2019004917.tif 000006
【図５】
2019004917.tif 000007
【図６】
2019004917.tif 000008
【図７】
2019004917.tif 000009
【図８】
2019004917.tif 000010
【図９】
2019004917.tif 000011
【図１０】
2019004917.tif 000012
【図１１】
2019004917.tif 000013
【図１２】
2019004917.tif 000014
【図１３】
2019004917.tif 000015
【図１４】
2019004917.tif 000016
【図１５】
2019004917.tif 000017
【図１６】
2019004917.tif 000018